(57)【特許請求の範囲】
【請求項１】
切り替え同軸ジャック装置であって、
前部及び後部を有する第１電気伝導同軸中心導体と、
第２電気伝導同軸中心導体と、
アクチュエータと、
から成り、
前記前部は同軸導体に取り付けるために第１前部中心導体を有し、前記後部は同軸導体に取り付けるために第１後部中心導体を有し、
前記第２電気伝導同軸中心導体は、同軸導体に取り付けるために第２後部中心導体を有し、
前記後部は、前記第１後部中心導体との電気的な接続を保ちながら第１の位置と第２の位置との間を移動することができる電気伝導可動部を有し、
前記電気伝導可動部は、前記電気伝導可動部が前記第１の位置にあるとき前記前部から電気的に切断され、且つ前記第２電気伝導同軸中心導体と電気的に接触して配置されており、
前記電気伝導可動部は、前記電気伝導可動部が前記第２の位置にあるとき前記第２電気伝導同軸中心導体から電気的に切断され、且つ前記前部と電気的に接触して配置されており、
前記アクチュエータは、同軸ケーブルが前記第１前部中心導体に取り付けられているときに前記電気伝導可動部を前記第１の位置から第２の位置まで移動させる、
ことを特徴とする切り替え同軸ジャック装置。
【請求項２】
前記切り替え同軸ジャック装置は、前記第１電気伝導同軸中心導体及び第２電気伝導同軸中心導体を包囲する電気的に接地されたハウジングから成ることを特徴とする請求項１の切り替え同軸ジャック装置。
【請求項３】
前記切り替え同軸ジャック装置は、前記電気伝導可動部が前記第２の位置にあるとき抵抗を介して前記第２電気伝導同軸中心導体を電気的に接地させる終端手段から成ることを特徴とする請求項１の切り替え同軸ジャック装置。
【請求項４】
前記終端手段は電気的な終端接点を有し、
前記第２電気伝導同軸中心導体と電気的に接触している電気伝導切り替えスプリングが設けられ、前記電気伝導切り替えスプリングは、前記電気伝導可動部が前記第２の位置にあるときは、付勢されて前記終端接点と電気的に接触し、前記電気伝導可動部から電気的に切断され、
前記電気伝導可動部が前記第１の位置に向かって移動する際に前記電気伝導可動部は前記電気伝導切り替えスプリングと電気的に係合し、且つ前記電気伝導切り替えスプリングが前記第１の位置に移動する前記電気伝導可動部によって前記終端接点から離れるように付勢された状態で、前記電気伝導可動部は前記電気伝導切り替えスプリングを介して前記第２電気伝導同軸中心導体と電気的に接続されるように配置されていることを特徴とする請求項３の切り替え同軸ジャック装置。
【請求項５】
前記終端接点と、前記電気伝導切り替えスプリングと、前記前部と、前記電気伝導可動部とは、前記電気伝導可動部が前記第２の位置に移動して前記電気伝導切り替えスプリングが前記電気伝導可動部から離れる前に前記電気伝導切り替えスプリングが前記終端接点と電気的に係合するようにそれぞれ配置されていることを特徴とする請求項４の切り替え同軸ジャック装置。
【請求項６】
前記電気伝導可動部は、前記第１の位置にて前記電気伝導切り替えスプリングと電気的に接触するように付勢されている第１スプリングであることを特徴とする請求項４に記載の切り替え同軸ジャック装置。
【請求項７】
前記第１電気伝導同軸中心導体の前記前部は第２スプリングを有し、前記第１スプリングが前記第２の位置に移動する際に、前記第１スプリングは、前記第２スプリングと係合し、付勢に抗して前記第２スプリングをズラすことを特徴とする請求項６の切り替え同軸ジャック装置。
【請求項８】
前記アクチュエータは、前記第１前部中心導体に接続される前記同軸ケーブルに反応してズレるように配置されているカム端部を有するレバーを備えており、
前記レバーは、前記カム端部のズレに反応して前記電気伝導可動部を前記第２の位置に付勢するように配置された第２端部を有することを特徴とする請求項１の切り替え同軸ジャック装置。
【請求項９】
前記レバーの前記第２端部は、前記電気伝導可動部が前記第２端部に対して移動しないように抑制する手段を有していることを特徴とする請求項８の切り替え同軸ジャック装置。
【請求項１０】
切り替え同軸ジャック装置であって、
後端と前端とを有するハウジングと、
第１前方導体と、
第１後方導体と、
第２後方導体と、
レバーと、
切り替え回路と、
シール手段と、
から成り、
前記前端は、プラグを摺動可能に収容する少なくとも第１ジャックポートを有し、前記プラグは付属の同軸ケーブルに接続されたセンターピンを有し、前記ラグを前記第１ジャックポート内に差し込んだときに前記センターピンを収容するために前記第１ジャックポート内には前部中心導体が配設され、
前記後端は、少なくとも第１同軸コネクタ及び第２同軸コネクタを有し、前記第１同軸コネクタ及び第２同軸コネクタにそれぞれ接続されている同軸導体の中心導体に接続するために、前記第１同軸コネクタ及び第２同軸コネクタは、第１後部中心導体及び第２後部中心導体をそれぞれ有し、
前記ハウジングは、前記第１ジャックポート並びに前記第１同軸コネクタ及び第２同軸コネクタに対してシールされている閉塞されたチャンバを画成する壁を有し、
前記第１前方導体は前記前部中心導体に接続され且つ前記壁を通過して前記チャンバまで延びており、前記第１前方導体を前記ハウジングから電気的に絶縁し且つ前記第１ジャックポートから前記チャンバへの粒子の流れに抵抗するために前記チャンバをシールする絶縁体が設けられ、
前記第１後方導体は前記第１後部中心導体に接続され且つ前記壁を通過して前記チャンバまで延びており、前記第１後方導体を前記ハウジングから電気的に絶縁し且つ前記第１同軸コネクタから前記チャンバへの粒子の流れに抵抗するために前記チャンバをシールする絶縁体が設けられ、
前記第２後方導体は前記第２後部中心導体に接続され且つ前記壁を通過して前記チャンバまで延びており、前記第２後方導体を前記ハウジングから電気的に絶縁し且つ前記第２同軸コネクタから前記チャンバへの粒子の流れに抵抗するために前記チャンバをシールする絶縁体が設けられ、
前記レバーは前記壁を通過するように延びて、前記レバーのカム端部は前記チャンバの外部に配設され、前記レバーの第２端部は前記チャンバ内に配設されており、
前記カム端部は前記第１ジャックポートに挿入されるプラグに反応してズレるように配置され、前記第２端部は前記カム端部のズレに反応して非切り替え位置から切り替え位置まで移動し、
前記切り替え回路は前記チャンバ内に配設され、前記レバーの前記第２端部が前記非切り替え位置にあるときは前記第１後方導体及び第２後方導体を電気的に接続して前記第１前方導体及び第１後方導体を電気的に分離する切り替え手段を有し、前記切り替え手段は、前記レバーの前記第２端部が前記切り替え位置にあるときは前記第１前方導体及び第１後方導体を電気的に接続して前記第１後方導体と前記第２後方導体とを電気的に分離する手段を更に有し、
前記シール手段は、前記レバーを通過して前記チャンバに進入する粒子の流れに抵抗する、
ことを特徴とする切り替え同軸ジャック装置。
【請求項１１】
前記シール手段は、前記壁の開口内に位置し且つ前記開口を実質的に充填する大きさを有する前記レバーの揺動部を備えている請求項１０の切り替え同軸ジャック装置。
【請求項１２】
切り替え同軸ジャック装置であって、
後端及び前端を有するハウジングと、
第１の電気的な終端接点と、
電気伝導切り替えスプリングと、
第１レバーと、
から成り、
前記前端は、プラグを摺動可能に収容する少なくとも第１ジャックポートを有し、前記プラグは付属の同軸ケーブルに接続されたセンターピンを有し、前記プラグを前記第１ジャックポート内に差し込んだときに前記センターピンを収容するために前記第１ジャックポート内には第１前部中心導体が配設され、
前記後端は、少なくとも第１後部同軸コネクタ及び第２後部同軸コネクタを有し、前記第１後部同軸コネクタ及び前記第２後部同軸コネクタにそれぞれ接続されている同軸導体の中心導体に接続するために、前記第１後部同軸コネクタ及び第２後部同軸コネクタは、第１及び第２後部中心導体をそれぞれ有し、
前記電気伝導切り替えスプリングは前記第２後部中心導体と電気的な接触をし、前記電気伝導切り替えスプリングは前記第１の電気的な終端接点と電気的な接触をするように付勢されている第１端部を有しており、
前記第１後部中心導体は第１の位置と第２の位置との間で移動可能な電気伝導第１可動部を有し、
前記電気伝導第１可動部は、前記電気伝導第１可動部が第１の位置に向かって移動する際に前記電気伝導切り替えスプリングの前記第１端部と電気的に係合するように配置され、前記電気伝導切り替えスプリングは、前記第１の位置に移動する前記電気伝導第１可動部によって前記第１の電気的な終端接点から離れるように付勢され、
前記電気伝導第１可動部は、前記電気伝導第１可動部が第２の位置にあるとき、前記第１前部中心導体と電気的に接触して配設され、且つ前記電気伝導切り替えスプリングの前記第１端部から電気的に切断され、
前記第１レバーは前記第１ジャックポート内に挿入されている前記プラグに反応してズレるように配置されるカム端部を有しており、
前記第１レバーは、前記カム端部のズレに反応して前記電気伝導第１可動部を前記第２の位置に付勢するように配設されている第２端部を有する、
ことを特徴とする切り替え同軸ジャック装置。
【請求項１３】
前記切り替え同軸ジャック装置は、
第２ジャックポートと、
第２の電気的な終端接点と、
第２レバーと、
から成り、
前記第２ジャックポートは付属の同軸ケーブルに接続されているセンターピンを有するプラグを摺動可能に収容し、前記プラグを前記第２ジャックポート内に挿入するときに前記センターピンを収容するために、前記第２ジャックポート内には第２前部中心導体が配設されており、
前記電気伝導切り替えスプリングは前記第２の電気的な終端接点と電気的に接触するように付勢されている第２端部を有しており、
前記第２後部中心導体は第１の位置と第２の位置との間で移動可能な電気伝導第２可動部を有しており、
前記電気伝導第２可動部は、前記電気伝導第２可動部が前記第１の位置にあるとき、前記電気伝導切り替えスプリングの前記第２端部と電気的な接触をして配設されており、且つ前記第２前部中心導体から電気的に切断され、
前記電気伝導第２可動部は、前記電気伝導第２可動部が第１の位置に向かって移動する際に前記電気伝導切り替えスプリングの前記第２端部と電気的に係合するように配置され、前記電気伝導切り替えスプリングの前記第２端部は、前記第１の位置に移動する前記電気伝導第２可動部によって前記第２の電気的な終端接点から離れるように付勢され、
前記電気伝導第２可動部は、前記電気伝導第２可動部が第２の位置にあるとき、前記第２前部中心導体と電気的に接触して配設され、且つ前記電気伝導切り替えスプリングの前記第２端部から電気的に切断され、
前記第２レバーは前記第２ジャックポート内に挿入されている前記プラグに反応してズレるように配置されるカム端部を有しており、
前記第２レバーは、前記カム端部のズレに反応して前記電気伝導第２可動部を前記第２の位置に付勢するように配設されている第２端部を有する、
ことを特徴とする請求項１２の切り替え同軸ジャック装置。
【発明の詳細な説明】
Ｉ．発明の背景
１．発明の分野
本発明は同軸ジャックに関する。特に、本発明は高周波伝送速度での使用に適した切り替え同軸ジャックに関する。
２．従来技術の説明
切り替え同軸ジャックは周知である。その例としては、Burroughsに付与された米国特許第4749968号及び第5467062号がある。その他の例として、Sieceanuに付与された米国特許第5246378号がある。
従来の切り替え同軸ジャックは、接地された電気伝導性ハウジング内にて平行に配置された２つの概ね密な中心導体を有する。２つの中心導体間には切り替えアセンブリが配置されている。
切り替えアセンブリはＶ字状のスプリングを有し、該スプリングは第１及び第２の端部を備え、第１の端部は一方の中心導体に付勢され、第２の端部は他方の中心導体に付勢されている。その結果、中心導体は中心導体の一方における電気信号が切り替えアセンブリを介して他方の中心導体に到達するような通常の信号伝達を行う。
この切り替え同軸ジャックは電気通信或いはビデオ通信産業に使用されることが多い。ハウジングの後端部は同軸ケーブルに半永久的或いは永久的に接続するためにコネクタを備えている。中心導体の前端には、所定の寸法のプラグを収容するためのジャックポートが備えられている。通常、この切り替えジャックはプラグをポートに挿入しなくても動作する。従って、後部コネクタの一方から中心導体に入る信号は、切り替えアセンブリを通過して、他方の後部コネクタを介してジャック装置から出る。
信号を取り出したり、新たな信号を入力するようなジャックが望ましいときがある。そのためには、付属の同軸ケーブルを備えているジャックプラグを前方のポートの一方に挿入する。ジャックプラグを前方のポートに差し込むと、ジャックプラグはＶ字状のスプリングと係合して、該スプリングはプラグが挿入されているポートに関係する中心導体から離れる。
Ｖ字状のスプリングを中心導体から離すことによって、中心導体と他方の中心導体とは切断され、もって信号は中心導体の全体の長さに沿って直接流れてポートから出る。ジャックの２つの中心導体の接続を断つことの他に、プラグを差し込むと他方の中心導体が抵抗を介して接地点に電気的に接続され、このシステムの所望の電気的なインピーダンスが保たれる。
上記の構造の場合、通常、後部コネクタから後部コネクタまで流れる信号はＶ字状のスプリングを介して流れる。接地或いは他の接続源に接続されずにＶ字状のスプリングを越えて延びる中心導体の実質的な長さがある。以前はこの中心導体の開放された長さは電気通信産業において殆ど問題にならなかった。しかし、伝送周波数が高いと、この中心導体の開放された長さは、信号を歪ませたり信号の一体化に害を与える場合がある。
従来の切り替え同軸ジャックの問題としては、他に粉じん或いは他の汚染物が切り替えアセンブリに進入することである。典型的にこのようなジャックの場合、前方のポートを介してジャックの切り替えアセンブリに空気が流れる。
II．発明の概要
本発明の好適実施例において、後部から前部まで延びている電気伝導性同軸中心導体を有する切り替え同軸ジャック装置を開示する。第２同軸中心導体も該装置内に含まれている。第１中心導体の後部は第１の位置と第２の位置との間を移動できる電気伝導性可動部を有する。該可動部が第１の位置にあるときは、可動部は第２中心導体と電気的に接触して配置され、第１中心導体の前部から電気的に切断されている。該可動部が第２の位置にあるときは、可動部は前部と電気的に接触して配置され、第２中心導体から電気的に切断されている。同軸ケーブルが第１中心導体の前部に取り付けられているとき、アクチュエータは第１の位置から第２の位置まで可動部を移動させる。
III．図面の詳細な説明
図１は、本発明の切り替え同軸ジャック装置の（カバーを取った状態での）側面図であり、プラグの一部がジャック装置の前方ポート内に挿入されているが切り替えアクチュエータとはまだ係合していない様子を示している。
図２は、図１のプラグを更に装置の第１ポートに差し込んだ状態を示す図である。
図３は、図１及び図２のプラグが更に装置内に挿入された状態を示す図である。
図４は、図１乃至図３のプラグが完全に装置内に挿入された状態を示す図である。
図５は、プラグが図１のジャック装置に挿入されていないときのジャック装置の側断面図である。
図６は、図１の６−６線断面図である（プラグを便宜上取り除いている）。
図７は、図１の７−７線断面図である。
図８は、図１の８−８線断面図である。
図９は、中心導体を保持する新規性を有する誘電体インサートの前方斜視図である。
図１０は、図９のインサートの後方斜視図である。
図１１は、図９のインサートの前方平面図である。
図１２は、図９のインサートの側面図である。
図１３は、図１１の１３−１３線断面図である。
図１４は、図１１の１４−１４線断面図である。
図１５は、図１２の１５−１５線断面図である。
図１６は、新規性を有する誘電体インサートの他の実施例の前方斜視図である。
図１７は、図１６のインサートの後方斜視図である。
図１８は、図１６のインサートの前方平面図である。
図１９は、図１８の１９−１９線断面図である。
図２０は、新規性を有する誘電体インサートの更なる実施例の前方斜視図である。
図２１は、図２０のインサートの前面図である。
図２２は、図２０のインサートの側面図である。
図２３は、図２１の２３−２３線断面図である。
図２４は、図２１の２４−２４線断面図である。
図２５は、図２２の２５−２５線断面図である。
IV．好適実施例の説明
図面に関し、同一の要素には同じ番号を付けている。本発明の好適実施例の説明を以下で行う。
本発明は、切り替え同軸ジャック装置１０である。ジャック装置１０は、ダイカストによって製造され、且つ電気伝導性を有し電気的に接地されたハウジング１２を有する。ハウジング１２は、前壁１４，後壁１６，上壁１８、及び底壁２０を有する。ジャック装置は、側壁２２及びサイドカバー２４（内部要素が見えるように図１では一部のみを図示）を更に有している。
ハウジング１２は、端壁１４、１６に平行に、且つ側壁２２、２４並びに上壁１８及び底壁２０の間で延びている内部壁２６を備えている。内部壁２６は、カバー２４の壁セグメント２６ａ（図８）と協力してハウジングの内部を前方ポートチャンバ２８と後方切り替えチャンバ３０とに分割する。
図示の如く、ハウジング１２の前方壁１４は、所定の寸法のプラグ３３を収容するための第１ジャックポート３２を有している。更に前方壁１４は、このプラグを収容するための第２ジャックポート３４を備えている。
ポート３２，３４は、平行に配置され、それぞれ後壁１６に配設されている第１及び第２収容同軸コネクタ３６、３８と同軸に配置されている。コネクタ３６、３８は、（いわゆるBNCコネクタ等の）周知のコネクタ又は同軸ケーブルに半永久的若しくは永久的に取り付けるためのポートでもよい。ポート３２、３４は、挿入されたジャックプラグ３３の接地スリーブと係合並びに該接地スリーブをハウジング１２に電気的に接続するための接地クリップ４０を有している。
第１及び第２前方中心導体４２，４４はポート３２，３４内にそれぞれ軸方向に配置され、ポート３２，３４内に収容されたジャックプラグ３３のセンターピンをそれぞれ収容する。中心導体４２，４４は、誘電体インサート４６，４８によってポート３２，３４内にて軸方向に配置された状態で保持されている。誘電体インサート４６，４８は、内部壁２６に形成されているポケット内に適宜収容されている。
インサート４６，４８は、図１乃至８において簡単に図示するために、密な誘電体シリンダーとして示されているが、他の形状を使用することもできる。好適な形状は、図９乃至２５において後で説明する。
第１及び第２後部中心導体５０、５２は、後部コネクタ３６，３８内で同軸に配置された状態で保持され、又後壁１６内に収容されている支持誘電体インサート５４，５６によって、軸方向への配置が保持される。第１前部及び後部中心導体４２、５０は、協力して完成第１中心導体を形成する。第２前部及び後部中心導体４４，５２は、協力して完成第２中心導体を形成する。
誘電体インサート４６，４８は、ポート３２，３４及び壁２６を通過してチャンバ３０に流れる粉じんに抵抗する。同様に、インサート５４，５６は、コネクタ３６，３８を介してチャンバ３０に流れる粉じんに抵抗する。
第１前部中心導体４２は、インサート４６からチャンバ３０まで延びるスプリング部４２ａを有している。第１後部中心導体５０は、同様に誘電体インサート５４からチャンバ３０まで延びるスプリング部５０ａを有している。同様に、各中心導体４４、５２は、誘電体インサート４８、５６からチャンバ３０に延びているスプリング４４ａ、５２ａを備えている。
切り替え機構６０は、チャンバ３０内に収容されている。切り替え機構６０は、スプリング４２ａ、４４ａの自由端に近接して配置される第１及び第２終端接点６４，６６を有する終端クリップ６２を備えている。終端クリップ６２は、抵抗器６８を介して電気的に接地されたハウジング１２に接続されている。クリップ６２は、チャンバ３０内に挿入されている誘電体ベース６３に搭載されている。該誘電体ベース６３は、スプリング４２ａ、５０ａ、４４ａ、５２ａを支持する誘電体突出部６５を有している。
Ｖ状切り替えスプリング７０は、チャンバ３０内にて、ベース６３から延びて該ベース６３と一体的に形成された誘電体支持ポスト７２に取り付けられている。スプリングは、第１及び第２スプリングアーム７０ａ、７０ｂを備えている。スプリングアーム７０ａは、終端接点６４と電気的な接触を行うような方向に付勢されている。スプリングアーム７０ｂは、第２終端接点６６と電気的に接触するような方向に付勢されている。
中心導体４２、４４のスプリング接点４２ａ、４４ａは、終端接点６４、６６に向かってそれぞれ付勢されている。スプリング４２ａ、４４ａと終端接点６４、６６とが直接接続されることを回避するために、誘電体スペーサ８０、８２がスプリング４２ａ、４４ａと終端接点６４、６６との間に配置されている。従って、撓む力が存在しないときは、スプリング４２ａ、４４ａは、誘電体スペーサ８０、８２に当接する（図１）。スペーサ８０、８２は、ベース６３と一体的に形成され、且つベース６３から突出している。
後部中心導体５０、５２のスプリング５０ａ、５２ａは、Ｖ状切り替えスプリング７０の端部７０ａ、７０ｂに向かって付勢されている。スプリング５０ａ、５２ａをずらすように作用する力が存在しないとき（図１）、スプリング５０ａ、５２ａは、スプリング７０ａ、７０ｂの自由端に当接するような自由端を有する。スプリング５０ａ、５２ａは、終端接点６４、６６からスプリング７０ａ、７０ｂを付勢する。（ベース６３から突出している）誘電体支持ポスト８４、８６は、スプリング７０ａ、７０ｂの撓みを防ぎ、スプリングの対である５０ａ、７０ａ及び５２ａ、７０ｂがそれぞれ電気的に接触している状態を保っている。
図面において、スプリング５０ａ、５２ａは、スプリング７０ａ、７０ｂに付勢されている。スプリング５０ａ、５２ａの通常の付勢に加えて、（或いはこの付勢に変わるものとして）、（例えば側壁１８、２０とレバー９０、９２との間で延びる）補助スプリング（図示せず）を設けてレバー９０、９２を図１の位置に付勢することも可能である。
第１及び第２誘電体レバー９０、９２は、スプリング５０ａ、５２ａを図１に示す第１の位置から（図４においてスプリング５０ａに対して示されている）第２の位置まで移動させるように作用するアクチュエータとして設けられている。レバー９０、９２は、ポート３２、３４の近傍に配置されるカム端部９０ａ、９２ａを有している。レバー９０、９２は、チャンバ３０内にて第２端部９０ｂ、９２ｂで終結している。切り欠き部６３ａは、ベース６３内に形成され、レバー９０が移動するための隙間を提供する。
端部９０ｂ、９２ｂは、僅かな距離だけ離隔したポスト９０ｂ’９２ｂ’を備えている。スプリング５０ａ、５２ａの自由端は、以下で明らかにされる理由によってポスト９０ｂ’、９２ｂ’に収容されている。
各レバー９０、９２は、共通のピボットピン１００を中心に揺動する。ピボットピン１００は、壁２６の中心開口内に位置している。レバー９０、９２は、粉じんがチャンバ２８から開口を介してチャンバ３０に容易に通過することができないように該開口が実質的に充填されるような大きさを有している。カム表面９０ａ、９２ａは、プラグ３３をポート３２、３４にそれぞれ差し込んだ際にレバーがピン１００を中心に揺動するように配置されている。
このような構造において、本発明の新規性を有するジャックの動作を最初に図１で説明する。図１はジャック装置１０を示しており、プラグの一部がポート３２に挿入されてはいるがカム９０ａとはまだ係合していない。従って、中心導体５０に沿って流れる信号は、スプリングアーム５０ａを通過してＶ状スプリング７０に流れる。次いで、信号は、スプリングアーム５２ａと中心導体５２とから出される。スプリング４２ａ、４４ａの自由端が可動スプリング５０ａ、５２ａから離れているので、信号がスプリング４２ａ、４４ａ或いは中心導体４２、４４を通過することはない。図１において、第１の位置におけるスプリング５０ａ、５２ａが示され、該スプリング５０ａ、５２ａはＶ状スプリング７０と接触し、（故に互いに電気的に接触した状態となり、）スプリング４２ａ、４４ａから電気的に且つ物理的に切断されている。
図２乃至４は、ジャックプラグ３３をポート３２に差し込んだ際のジャック装置１０の動作を示している。ジャックプラグをポート３４に差し込んだときの動作は図示されていないが、該動作はプラグ３３をポート３２に差し込む動作と同じであることは理解できよう。
プラグ３３をポート３２に差し込んだ際、プラグスリーブの先端は、カム表面９０ａと係合して、該カム表面をズラす。カム表面９０ａがズレることによって、端部９０ｂが対応してズレる。図２において、端部９０ｂは上方に移動しているので、ポスト９０ｂ’はスプリング５０ａをその付勢位置から離すような方向に付勢する。図２に示されているように、Ｖ状スプリング端部７０ａが終端接点６４と接触する前に、スプリング５０ａはスプリング４２ａと電気的に接触する。従って、この位置において接地している接点はなく、スプリング５０ａ、４２ａ、５２ａは電気的に接続されている。
プラグ３３を更に挿入してスプリング５０ａが更に上方に移動すると（図３）、Ｖ状スプリング７０のスプリング端部７０ａは移動して第１終端接点と接触する。スプリング７０ａが第１終端接点６４と電気的な接触をしている状態にあるとき、Ｖ状端部７０ａとスプリング５０ａとはまだ電気的及び物理的に接触している。従って、スプリング５０ａとスプリング７０との間の信号路が断たれる前に、終端抵抗器６８を介して接地点との接触が行われる。この連続動作は“メイク・ビフォア・ブレーク”動作として知られている。メイクー・ビフォア・ブレーク切り替えジャックは、Burroughsに付与された前述の米国特許第4749968号に開示されている。
プラグ３３をポート３２に完全に差し込んだ際（図４）、スプリング５０ａの自由端はスプリング４２ａの自由端と電気的且つ物理的な係合を保ち、スプリング４２ａを誘電支持体８０から上方に向けて付勢する。第１終端接点６４はスプリング７０ａの更なる外方への移動を防ぐので、スプリング７０とスプリング５０ａとの電気的且つ物理的接続は断たれる。更に、スプリング４２ａの下方への付勢によって、スプリング４２ａの自由端とスプリング５０ａの自由端との電気的且つ物理的な接触が継続される。可動スプリング５０ａをポスト９０ｂ’間で保持することによって、ジャック１０が使用の際に受けるであろう振動がスプリング５０ａとスプリング７０ａ若しくは４２ａとの所望の接続を断続的或いは他の望ましくない形態で切断することが少なくなる。
その結果、ジャック装置１０は従来のジャック装置と機能的に等しくなる。主に、プラグがポート３２、３４のいずれにも存在していないとき、後部中心導体５０、５２の電気的な接続が保たれる。ジャックプラグをいずれか一方のジャックポートに差し込んだ際、後部中心導体５０、５２の電気的な接続は断たれて、後部中心導体５０、５２から前部中心導体４２、４４までの電気的な接続が新しく確立される。他方の後部中心導体は抵抗を介して電気的に接地される。
ジャック装置には更に、従来ではよくあることだが、即座に信号路から離れて延びる中心導体の実質的な長さがある。即ちポート３２内にプラグがないとき、中心導体４２及びそれに関係するスプリング部４２ａは後部中心導体５０から電気的且つ物理的に切断されている。従って、高周波数への適用の際、中心導体４２及びスプリング４２ａは信号に害を与えることはない。又、スプリング切り替えチャンバ３０は常にハウジング１２の外部に対して実質的にシールされている。従って、スプリングチャンバ３０に進入する粉じん及び他の汚染物は抵抗を受けて、スプリングチャンバ３０内での電気的な接続に対する干渉が最小となる。また、誘電支持体８０、８２、８４、８６及びピン９０ｂ’、９２ｂ’は、装置１０に作用する振動の発生の際の完全プラグ挿入モード（図４）及び非プラグ挿入モード（図１）において、各種スプリング間の所望の電気的な接触或いは分離を保つ。
先の記載において、全体的に密な円筒体として誘電体インサート４６、４８を示した。この形状は機能的であるが、本発明において、誘電体の支持体には新規性を有する形状を利用することが好ましい。この新規性のある支持体の例が誘電体インサート４６’として図９乃至１５に示されている。該インサート４６’において、インサート４６’の実質的に全ての半径方向表面は中心導体４２，４４の長手軸に対して直角でない角度で設定されている。
図１乃至図８に戻ると、中心導体４２の軸に直交する軸方向面を有する円筒状インサート４６の場合、中心導体４２等の同軸伝送線路に沿って進む電磁信号の反射減衰量を満足に得ることができない。即ち、同軸伝送線路において、電磁信号は、同軸ケーブルの中心及び外部導体間、又は中心導体４２を包囲する外部導体を形成するハウジング１２の包囲面と中心導体４２との間の線路を進行する。信号は中心及び外部導体間に提供されているいかなる誘電媒体をも伝搬する。例えば、同軸ケーブルにおいて、該誘電媒体は中心導体と外部接地スリーブとの間に配置されるプラスチック材料でもよい。ジャック内にて、誘電媒体は中心導体４２とハウジング１２の対面との間のキャビティ内の空気でもよい。その結果、異なる誘電体材料が伝送線路に沿って存在する。
信号がある誘電媒体から他の誘電媒体に進行する度に反射が起こる。信号の入射角は、反射角と等しい。従って、信号の進行方向に直交する誘電体境界面に信号が到達した場合、電磁エネルギーの一部が反射して反対方向に向かって直進する。
インサート４６、４８等の円筒形状の場合、信号の進行方向に直交するインサート４６、４８の軸方向両端部には２つの表面が設けられている。従って、このインサートは信号源に向かって伝送線路を進行する２つの反射を発生させる。
その他の従来の絶縁体は密な誘電体材料と空気による隙間との組み合わせであり、それによって２つの誘電体係数の合成効果を提供して特定のインピーダンスを形成する。この絶縁体はハブから半径方向に延びる羽根でもよい。しかし、典型的に羽根は信号の進行方向に直交する表面を提供する。また、空気による隙間を含むこの絶縁体は信号の進行方向に直交する誘電体材料の薄膜を有してもよく、この場合、粉じん或いは他の汚染物に対して合理的なシールを装置に提供する。このような膜は、該薄膜上にて著しいインピーダンスの不整合（即ち、他方の伝送線路のインピーダンス以外のインピーダンス）を通常発生させる。この不整合は、反射の源であり、信号の電力損失をも提供するので、このようなインピーダンス不整合は望ましくない。
好適なインサート４６’は、インサート４６、４８と同じ方法で壁２６のハウジング内に収容される大きさの円筒状外表面１１０を有する円筒状外壁１１１を備えている。インサート４６’は中心導体４２を適宜に収容するために軸方向に延びるボア１１４を有する中心ハブ１１２を備えている。ハブ１１２は、円錐形状を有し、該円錐ハブ１１２と外部円筒壁１１１の内表面との間で延びている半径方向に延びる複数のリブ１１６によって支持されている。
インサート４６’の第１軸方向面１２１を図９に示す。逆方向軸面１２３を図１０に示す。逆側１２３は、円錐ハブ１１２を支持する複数の半径方向に延びるリブ１１８を更に有する。リブ１１８は離隔している対向内表面を有してボア１１４を形成する。外部円筒体１１１の軸方向エッジ部はテーパ状となっており、斜面１２０を提供している。同様に、全リブ１１６、１１８のエッジ部は、テーパ状となっており、斜面１２２を提供している。従って、第１或いは第２軸方向端部１２１、１２３のいずれの表面領域においても、インサート４６’の軸Ｘ−Ｘに直交するものは実質的にない。テーパ面１２０、１２２の鋭いナイフエッジは、成型工程によって達成することは不可能であることは理解できよう。従って、小さな非鋭利領域１２４は製造工程の限界が原因である。本発明の目的は、この表面領域を製造工程を介して実用的に可能な限り小さくすることである。
図９乃至１５に示される実施例の場合、インサート４６’の両側におけるインサート４６’の全体の軸方向面１２１、１２３は、該インサート４６’に接近する電磁信号の進路に対して非直交面を提供する。その結果、信号は軸方向に反射してインサート４６’から離れることはなく、後方反射は低減される。円錐面１１２をカーブさせてもよいが、カーブした表面は多数の異なる方向に信号を反射させるので、該円錐面は平らであることが好ましい。しかし、インサート４６’の軸方向長さに沿った各断面にて所望のインピーダンス整合を得るために、カーブさせてもよい。
図１６乃至１９は他の実施例を示しており、ボア１１４’を画成するハブ１１２’及び外部円筒表面１１０’を有するインサート４６’’である。インサート４６’’は全体的に円錐形であり、外部円筒壁を有しておらず、インサート４６’’の構造を補強する内部リブも備えていない。
図９乃至１８の実施例は、中心導体がボア１１４、１１４’内に収容された後において実質的な閉塞面を提供している。この閉塞面によって、インサート４６’、４６’’を通過する粉じん移動を低減することができる。
粉じんの移動の防止が求められていない場合、インサートは該インサートの軸方向面を通る空気キャビティを有することができる。このインサートは、図２０乃至２５に図示され、インサート４６’’’は、それぞれが傾斜している軸方向端部１２２’’を有する内方に突出しているリブ１１６’’及び傾斜している軸方向端部１２０’’を備えている外部円筒表面１１０’’を有する外部円筒壁１１１’’を具備している。リブ１１６’’の対向表面は、中心導体を収容するためのボア１１４’’を形成する。
図示された全実施例において、非直交表面は信号路に対向している。直交してもよい部分は、製造の限界が原因で形成される斜面の非鋭利エッジの小さな部分のみである。
好適実施例において本発明を説明することによって、開示された概念の変形例及び等価体は当業者にとって容易に実現可能であることは理解できよう。例えば、図示された好適実施例において、２つの前方ポート３２、３４が備えられているが、前方ポート３２のみでもよい。また、従来のように、信号のノン・イントルーシブモニタリング（non-intrusive monitoring）を可能にするために、モニタリングサーキット（monitoring circuit）或いはモニタリングジャック（monitoring jack）をジャック１０に接続してもよい。このモニタリングジャック及び該モニタリングジャックを切り替え同軸ジャックに接続することは周知であることは理解できよう。この例は、Burroughsに付与された米国特許第4749968及び第5467062号に示されている。最後に、中心導体４２、４４は密なものとして図示されている。製造の簡易化のために、この導体をスタンピング（stamping）及びローリング（rolling）工程で中空のチューブ状導体にしてもよい。粉じん移動に抵抗するために、形成された導体はデテント（detent）或いは内方に突出したタブを好ましくは有し、中空の中心導体を通過するであろう粉じんに対して遮断面を提供する。
【図１】
0003913790.tif 000002
【図２】
0003913790.tif 000003
【図３】
0003913790.tif 000004
【図４】
0003913790.tif 000005
【図５】
0003913790.tif 000006
【図６】
0003913790.tif 000007
【図７】
0003913790.tif 000008
【図８】
0003913790.tif 000009
【図９】
0003913790.tif 000010
【図１０】
0003913790.tif 000011
【図１１】
0003913790.tif 000012
【図１３】
0003913790.tif 000013
【図１４】
0003913790.tif 000014
【図１２】
0003913790.tif 000015
【図１５】
0003913790.tif 000016
【図１６】
0003913790.tif 000017
【図１７】
0003913790.tif 000018
【図１８】
0003913790.tif 000019
【図１９】
0003913790.tif 000020
【図２０】
0003913790.tif 000021
【図２１】
0003913790.tif 000022
【図２３】
0003913790.tif 000023
【図２４】
0003913790.tif 000024
【図２２】
0003913790.tif 000025
【図２５】
0003913790.tif 000026